(57)【要約】【課題】不正電磁波検出手段による誤検出の防ぐことが可能な遊技機を提供する。【解決手段】本発明のパチンコ遊技機１０では、ＤＣ−ＤＣコンバータ３２に連なる電力ライン３５とグランドとの間に１０［μＦ］以上のコンデンサＣ１，Ｃ２で接続したので、電磁波センサ２５を作動させてしまうような電磁波ノイズが電力ライン３５から放射されることを規制することができる。即ち、電磁波センサ２５による誤検出の防ぐことができる。また、これにより、ＤＣ−ＤＣコンバータ３２の電力ライン３５の配置の自由度が高まり、電力ライン３５の近傍に、電磁波センサ２５を配置することもできるようになる。【選択図】図２
2017104566.tif 000002
【特許請求の範囲】
【請求項１】
遊技を制御する制御手段と、
第１遊技用電気部品に電力を供給するＤＣ−ＤＣコンバータと、
前記ＤＣ−ＤＣコンバータのスイッチング周波数の逓倍の特定周波数で作動して、前記制御手段を誤動作させ得る不正ノイズを検出する不正ノイズ検出手段と、を有し、
前記ＤＣ−ＤＣコンバータの１対の入力電極の一方がグランドに接続され、他方の入力電極に接続されている電力ラインの近傍に前記不正ノイズ検出手段が位置する遊技機において、
前記不正ノイズ検出手段が近傍に位置する前記電力ラインと前記グランドとの間に、１０［μＦ］以上の容量のコンデンサが接続されていることを特徴とする遊技機。
【発明の詳細な説明】
【技術分野】
【０００１】
本発明は、遊技を制御する制御手段と、不正ノイズを検出する不正ノイズ検出手段とを備えた遊技機に関する。
【背景技術】
【０００２】
パチンコ機等の遊技機において、制御手段を誤作動させて大当り遊技を発生させる不正行為を防ぐために、不正ノイズ検出手段を備えているものが知られている（例えば、特許文献１参照）。
【先行技術文献】
【特許文献】
【０００３】
【特許文献１】特開２０１４−１３３０８６号（請求項１）
【発明の概要】
【発明が解決しようとする課題】
【０００４】
しなしながら、従来の遊技機では、不正行為が行われていないにも拘わらず、不正ノイズ検出手段が、電磁波ノイズを不正ノイズとして誤検出する不具合があった。
【０００５】
本発明は、上記事情に鑑みてなされたもので、不正ノイズ検出手段による誤検出の防ぐことが可能な遊技機の提供を目的とする。
【課題を解決するための手段】
【０００６】
本願出願人が、上記問題が生じる従来の遊技機を精査したところ、ＤＣ−ＤＣコンバータの入力電極及び出力電極に接続されている電力ラインが、不正ノイズと同じ周波数の１［ＭＨz］オーダーの所謂高周波の電磁波ノイズを出力するアンテナの役割をなしていることが分かった。また、一般に、ＤＣ−ＤＣコンバータの１対の入力電極の一方及び１対の出力電極の一方はグランドに接続され、他方の入力電極及び出力電極に接続されている電力ラインとグランドとの間には、ノイズ除去用の１［μＦ］未満のバイパスコンデンサが接続されているが、そのようなバイパスコンデンサでは、電力ラインとグランドとの間のインピーダンスを十分に下げることができず、１［ＭＨz］オーダーの高周波の電磁波ノイズを十分に抑えられていないことをつきとめた。そこで、本願発明者は、以下の発明を完成させるに至った。
【０００７】
即ち、上記目的を達成するためになされた請求項１の発明は、遊技を制御する制御手段と、第１遊技用電気部品に電力を供給するＤＣ−ＤＣコンバータと、前記ＤＣ−ＤＣコンバータのスイッチング周波数の逓倍の特定周波数で作動して、前記制御手段を誤動作させ得る不正ノイズを検出する不正ノイズ検出手段と、を有し、前記ＤＣ−ＤＣコンバータの１対の入力電極の一方がグランドに接続され、他方の入力電極に接続されている電力ラインの近傍に前記不正ノイズ検出手段が位置する遊技機において、前記不正ノイズ検出手段が近傍に位置する前記電力ラインと前記グランドとの間に、１０［μＦ］以上の容量のコンデンサが接続されていることを特徴とする遊技機である。
【発明の効果】
【０００８】
本発明によれば、ＤＣ−ＤＣコンバータの電力ラインから放射される１［ＭＨz］オーダーの電磁波ノイズの出力を、不正ノイズ検出手段に検出されてない程度の大きさに抑えることができ、不正ノイズ検出手段による誤検出の防ぐことが可能となる。これにより、ＤＣ−ＤＣコンバータの電力ラインの配置の自由度が高まり、前記電力ラインの近傍に、前記不正ノイズ検出手段を配置することができる。
【図面の簡単な説明】
【０００９】
【図１】本発明の一実施形態に係るパチンコ遊技機の正面図
【図２】パチンコ遊技機の電気的な構成を示したブロック図
【発明を実施するための形態】
【００１０】
以下、本発明の「遊技機」としてのパチンコ遊技機１０に係る一実施形態を、図１及び図２に基づいて説明する。図１に示すように、パチンコ遊技機１０は、前面にガラス窓１０Ｗを備え、そのガラス窓１０Ｗを通して遊技板１１の遊技領域Ｒ１を視認することができる。そして、パチンコ遊技機１０の前面右下の操作ハンドル１２を回動操作することで、上皿１３に貯留されている遊技球が遊技領域Ｒ１の上部に打ち込まれる。
【００１１】
遊技領域Ｒ１の中央には液晶表示装置１４が備えられ、その下方には、上から順番に第１始動入賞口１５、第２始動入賞口１６、大入賞口１７及びアウト口１８が設けられている。また、大入賞口１７の両横及び第２始動入賞口１６の左横には、普通入賞口２０Ａ，２０Ｂ，２０Ｃが備えられている。
【００１２】
第１始動入賞口１５、第２始動入賞口１６及び普通入賞口２０Ａ，２０Ｂ，２０Ｃは、遊技板１１の前面から突出して上面に開口を有したポケット構造をなしている。また、第２始動入賞口１６の左右の両開口縁からは、通常は、１対の始動入賞扉１６Ａ，１６Ａが起立していて、第２始動入賞口１６への遊技球の入賞が規制されている。そして、後述する普通図柄当り（所謂、普図当り）になると、所定時間に亘って始動入賞扉１６Ａ，１６Ａが左右に倒れ、第２始動入賞口１６への遊技球の入賞が可能になる。
【００１３】
大入賞口１７は、横長手長方形をなして遊技板１１の前面に開口しており、その下側開口縁を中心に回動する大入賞扉１７Ａを備えている。そして、通常は大入賞扉１７Ａが起立して大入賞口１７への入賞が規制され、後述する特別図柄当り（所謂、特図当り）になると、所定時間、所定回数に亘って大入賞扉１７Ａが前に倒れ、大入賞口１７への遊技球の入賞が可能になる。
【００１４】
各入賞口１５〜１７，２０Ａ〜２０Ｂに遊技球が入賞すると、所定複数の遊技球が賞球として上皿１３に払い出される。また、大入賞口１７への入賞に対する賞球数は、それ以外の入賞口への入賞に対する賞球数より多く設定されている。
【００１５】
遊技領域Ｒ１のうち液晶表示装置１４の左側の領域には、始動ゲート１９が備えられている。そして、この始動ゲート１９を遊技球が通過すると、１／２の確率で当りになる当否判定が行われ、その判定結果が当り（即ち、普図当り）になると、前述したように所定時間に亘って始動入賞扉１６Ａ，１６Ａが左右に倒れ、第２始動入賞口１６への遊技球の入賞が可能になる。
【００１６】
第１始動入賞口１５又は第２始動入賞口１６の何れかに遊技球が入賞すると、大当り遊技の当否判定が行われ、その当否判定結果が液晶表示装置１４の表示により報知される。具体的には、横に並んだ３つの各数字が上下にスクロール表示されてから停止表示されて、その停止表示された３つの数字が、例えば、ぞろ目であれば、当否判定結果が大当り（即ち、特図当り）であったことを意味し、ぞろ目でなければ外れであったことを意味する。そして、特図当りになると、上述したように大入賞扉１７Ａが前に倒れて大入賞口１７に遊技球が大量に入賞可能になり、大量の賞球の獲得が可能になる。
【００１７】
各入賞口１５〜１７，２０Ａ〜２０Ｂ及び始動ゲート１９への遊技球の入賞は、入賞スイッチ２１（図２参照）によって検出される。入賞スイッチ２１は、図示しないが、ドミノ形状の本体の一端部に貫通孔を備えかつ、その貫通孔を取り囲む検出コイルを内蔵している。また、入賞スイッチ２１は、中継回路２９を介してパチンコ遊技機１０が有するメイン制御基板２２の入出力回路２３（インターフェース回路）に接続されていて、例えば入賞スイッチ２１に特定周波数の電圧が印加されている。そして、空気より透磁率が高い遊技球が入賞スイッチ２１の貫通孔を通過することにより入賞スイッチ２１の検出コイルのインピーダンスが低下し、入出力回路２３及び入賞スイッチ２１に流れる特定周波数の電流が基準値を超えて大きなる。すると、入出力回路２３の図示しないラッチ回路がラッチ状態となり、これがメイン制御基板２２のＣＰＵ２４（本発明の「制御手段」に相当する）に取り込まれる。これにより、ＣＰＵ２４が、入賞口１５〜１７，２０Ａ〜２０Ｂの何れに遊技球が入賞したかが特定され、上述した大当たりの当否判定を行ったり、賞球を払い出したりする。
【００１８】
ところで、入賞スイッチ２１と入出力回路２３とを接続するライン２１Ｃ（図２参照）に、前記した特定周波数の電磁波が乗ると（受信されると）、入賞スイッチ２１の貫通孔を遊技球が通過していないにも拘わらず、前記したラッチ回路が誤作動してＣＰＵ２４も誤作動し、上述した大当りの当否判定を行ったり、賞球を払い出したりする。そして、このような誤作動を意図的に発生させて、不正な利益を得る不正行為が行われることがある。そのような不正行為を発見するために、パチンコ遊技機１０には、電磁波センサ２５（本発明に係る「不正ノイズ検出手段」に相当する）が設けられている。
【００１９】
電磁波センサ２５は、特定周波数の電磁波を所定以上の強度で受信すると作動して、検出信号をメイン制御基板２２に出力する。そして、メイン制御基板２２のＣＰＵ２４が、電磁波センサ２５から検出頻度を監視していて、その検出頻度が予め設定された基準頻度（例えば、１０分につき３回）を超えていた場合には、例えば、遊技ホールの管理室にその旨を知らせる報知信号が送信される。
【００２０】
パチンコ遊技機１０には、例えば遊技ホールの各遊技島に備えた外部交流電源から２４［Ｖ］の交流を受電し、その入力電圧（即ち、２４［Ｖ］）より低い制御系用の第１電圧（例えば、１２［Ｖ］、５［Ｖ］）の直流と、入力電圧（即ち、２４［Ｖ］）より高い非制御系用の第２電圧（例えば、３７［Ｖ］）の直流とを含む複数種類の直流を出力する電源基板３０（図２参照）が備えられている。そして、図２に示されたメイン制御基板２２、サブ制御基板２６、表示制御回路４０、ランプ制御回路２８、払出制御回路５０等が、電源基板３０から直接的又は間接的に第１電圧を受けて作動して、非制御系の電気部品（モータ１０Ｍ、ランプ１０Ｌ等）への第２電圧の電力の供給を制御する。また、第２電圧の一部は、ＤＣ−ＤＣコンバータ３２によって第３電圧（例えば、１６Ｖ）に変圧されてから、非制御系の電気部品に付与される。
【００２１】
詳細には、ランプ制御回路２８は、電源基板３０からサブ制御基板２６を経由して第２電圧の電力を受け、第１電飾基板５１及び第２電飾基板５２に搭載されているＬＥＤ等や、パチンコ遊技機１０の前面のランプ１０Ｌ（図１参照）に給電する。また、ランプ制御回路２８から第１電飾基板５１及び第２電飾基板５２に第２電圧の電力を供給するための電力ライン３５は、ランプ制御回路２８から第１電飾基板５１を経由して第２電飾基板５２まで延びている。
【００２２】
前記したＤＣ−ＤＣコンバータ３２は、第１電飾基板５１に搭載され、図示しないコイルとコンデンサとダイオードとスイッチ素子（例えば、ＦＥＴ）とを有する公知な構造になっている。そして、ＤＣ−ＤＣコンバータ３２は、電力ライン３５から第２電圧を受け、所定のスイッチング周波数（例えば、２６０［ＭＨｚ］）でスイッチングを行って、第２電圧を第３電圧まで降圧してモータ１０Ｍへと出力する。
【００２３】
ところで、本実施形態のパチンコ遊技機１０では、電磁波センサ２５を作動させるための電磁波の前記特定周波数は、ＤＣ−ＤＣコンバータ３２のスイッチング周波数の逓倍になっている。このため、ＤＣ−ＤＣコンバータ３２に連なる電力ライン３５から電磁波ノイズが放射されると、これにより電磁波センサ２５が誤作動する虞がある。これに対し、このパチンコ遊技機１０では、図２に示すように、ＤＣ−ＤＣコンバータ３２の負の入力電極３２Ｃがグランドに接続されると共に、ＤＣ−ＤＣコンバータ３２の正の入力電極に連なる電力ライン３５とグランドとの間に１対のコンデンサＣ１，Ｃ２が接続されている。また、それらコンデンサＣ１，Ｃ２は第２電飾基板５２に実装されている。また、一方のコンデンサＣ１の容量は、０．１［μＦ］であり、従来のパチンコ遊技機にも備えられているものである。これに対し、他方のコンデンサＣ２の容量は、１０〜５００［μＦ］であって、従来のパチンコ遊技機には備えられていないものである。そして、このようにＤＣ−ＤＣコンバータ３２に連なる電力ライン３５とグランドとの間に１０［μＦ］以上のコンデンサＣ１，Ｃ２で接続したので、電磁波センサ２５を作動させてしまうような電磁波ノイズが電力ライン３５から放射されることを規制することができる。即ち、電磁波センサ２５による誤検出の防ぐことができる。また、これにより、ＤＣ−ＤＣコンバータ３２の電力ライン３５の配置の自由度が高まり、例えば、電力ライン３５の近傍（例：第１電飾基板５１や第２電飾基板５２の近く或いは第１電飾基板５１と第２電飾基板５２との間（の配線）の近く）に、電磁波センサ２５を配置することもできるようになる。
【００２４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００２５】
（１）前記実施形態では、ＤＣ−ＤＣコンバータ３２の入力電極３２Ｃとグランドとの間に１０〜５００［μＦ］のコンデンサＣ２が接続されている例を示したが、ＤＣ−ＤＣコンバータ３２の出力電極３２Ａとグランドとの間に１０〜５００［μＦ］のコンデンサＣ２が接続された構成にしてもよいし、ＤＣ−ＤＣコンバータ３２の入力電極３２Ｃとグランドとの間と、ＤＣ−ＤＣコンバータ３２の出力電極３２Ａとグランドとの間との両方に１０〜５００［μＦ］のコンデンサＣ２が接続されていてもよい。
【００２６】
（２）また、前記実施形態のランプ制御回路２８の基板に、ＤＣ−ＤＣコンバータ３２の入力電極３２Ｃとグランドとの間を接続する１０〜５００［μＦ］のコンデンサを実装してもよい。
【００２７】
（３）前記実施形態では、不正ノイズとして電磁波を例示したが、本発明の不正ノイズには、電波、磁気、光、紫外線、赤外線、Ｘ線、振動等が含まれ、不正ノイズ検出手段には、それらを検出する各種センサが含まれる。
【符号の説明】
【００２８】
１０    パチンコ遊技機
１０Ｍ  モータ（遊技用電気部品、第１遊技用電気部品）
２４  ＣＰＵ（制御手段）
２５    電磁波センサ（不正ノイズ検出手段）
３２    ＤＣ−ＤＣコンバータ
３２Ａ  出力電極
３２Ｃ  入力電極
３５    電力ライン
５２    第２電飾基板（第２遊技用電気部品）
Ｃ１    コンデンサ
Ｃ２    コンデンサ
【図１】
2017104566.tif 000003
【図２】
2017104566.tif 000004